(57)【特許請求の範囲】
【請求項１】
複数のデジタル機器がインターフェースバスを介してネットワーク接続されることにより、各デジタル機器間での双方向の通信を可能とされ、前記ネットワーク接続の際に各デジタル機器の接続状態を自動的に認識する通信手段と、各機器自身（自機という）を動作させる動作指令及び他の機器に割り当てられたＩＤ情報を添付して該当する機器を動作させる動作指令を出力する出力制御手段とを備え、自機に装填されたテープを再生して、前記インターフェースバスを介して接続されたビデオ録画装置（相手機という）に装填されたテープにダビングさせるネットワークシステム対応のデジタルビデオ再生／録画装置において、
相手機とネットワーク接続され、その接続のためのインターフェースバスは、ＩＥＥＥ１３９４シリアルバスであり、
前記各機器に割当てられたＩＤ情報は、各機器の電源投入及び機器の追加又は削除に伴うバスリセット時に新たなＩＤ情報として付与され、各機器間の通信は、各機器に対応するＩＤ情報ごとに異なる周波数帯域の搬送波によって区別してなされ、
前記ダビングを実行させるダビング指令を入力するための操作キーを備え、
前記出力制御手段は、ユーザにより、前記ダビング指令が入力されたとき、相手機の動作状態を問い合わせるための信号を前記通信手段を介して出力し、これに対する返答から相手機の状態を判断し、録画可能でなければ、さらに前記信号を出力して相手機の動作状態を問い合わせ、録画可能となれば、相手機に対して録画指令を出力し、該相手機から録画開始動作の完了の通知を受けた後に自機の再生を開始し、ダビングを行わせることを特徴とするネットワークシステム対応のデジタルビデオ再生／録画装置。
【請求項２】
複数のデジタル機器がインターフェースバスを介してネットワーク接続されることにより、各デジタル機器間での双方向の通信を可能とされ、前記ネットワーク接続の際に各デジタル機器の接続状態を自動的に認識する通信手段と、各機器自身（自機という）を動作させる動作指令及び他の機器に割り当てられたＩＤ情報を添付して該当する機器を動作させる動作指令を出力する出力制御手段とを備え、前記インターフェースバスを介して接続されたビデオ録画装置（相手機という）に装填されたテープを再生させて、自機に装填されたテープにダビングするネットワークシステム対応のデジタルビデオ再生／録画装置において、
相手機とネットワーク接続され、その接続のためのインターフェースバスは、ＩＥＥＥ１３９４シリアルバスであり、
前記各機器に割当てられたＩＤ情報は、各機器の電源投入及び機器の追加又は削除に伴うバスリセット時に新たなＩＤ情報として付与され、各機器間の通信は、各機器に対応するＩＤ情報ごとに異なる周波数帯域の搬送波によって区別してなされ、
前記ダビングを実行させるダビング指令を入力するための操作キーを備え、
前記出力制御手段は、ユーザにより、前記ダビング指令が入力されたとき、相手機の動作状態を問い合わせるための信号を前記通信手段を介して出力し、これに対する返答から相手機の状態を判断し、再生可能でなければ、さらに前記信号を出力して相手機の動作状態を問い合わせ、再生可能となれば、自機での録画を開始し、相手機に対して再生指令を出力し、ダビングを行うことを特徴とするネットワークシステム対応のデジタルビデオ再生／録画装置。
【請求項３】
時刻を計数する時計を備え、
相手機には、ユーザによってタイマ録画の開始／終了時刻が予約されており、
前記出力制御手段は、ダビングを実行中に相手機のタイマ録画の開始時刻が来たときは、自機に対しては再生を停止する指令を、相手機に対しては録画を停止させる指令を出力することにより、ダビングを停止し、相手機に、タイマ録画を実行させ、前記タイマ録画の終了時刻が来ると、相手機のタイマ録画を終了させた後、自機に対しては再生指令を出力し、相手機に対しては録画指令を出力することにより、ダビングを再開させることを特徴とする請求項１に記載のデジタルビデオ再生／録画装置。
【請求項４】
時刻を計数する時計と、ユーザによって予約を受けたタイマ録画開始／終了時刻を記憶させる記憶手段とを備え、
前記出力制御手段は、ダビングを実行中に前記記憶手段に記憶させたタイマ録画開始時刻が来たときは、自機に対しては録画を停止する指令を、相手機に対しては再生を停止させる指令を出力することによりダビングを停止し、自機のタイマ録画を実行し、前記タイマ録画の終了時刻が来ると、自機のタイマ録画を終了した後、自機に対しては録画指令を出力し、相手機に対しては再生指令を出力することにより、ダビングを再開することを特徴とする請求項２に記載のデジタルビデオ再生／録画装置。
【請求項５】
前記出力制御手段は、相手機に予約されたタイマ録画の開始時刻前にダビングを実行するときは、相手機のタイマ録画の待機状態を解除し、自機に対しては再生指令を出力し、相手機に対しては録画指令を出力することにより、ダビングを実行し、該ダビングの終了後に相手機をタイマ録画の待機状態に復帰させることを特徴とする請求項３に記載のデジタルビデオ再生／録画装置。
【請求項６】
前記出力制御手段は、自機に予約されたタイマ録画の開始時刻前にダビングを実行するときは、自機のタイマ録画の待機状態を解除し、自機に対しては録画指令を出力し、相手機に対しては再生指令を出力することにより、ダビングを実行し、該ダビングの終了後に自機をタイマ録画の待機状態に復帰させることを特徴とする請求項４に記載のデジタルビデオ再生／録画装置。
【発明の詳細な説明】
【０００１】
【発明の属する技術分野】
本発明は、自機に装填されたテープを再生してＩＥＥＥ１３９４シリアルバスケーブルによって接続されたＤＶＨＳビデオデッキ（相手機という）に装填されたテープにダビングさせ、又は、相手機に装填されたテープを再生させて自機に装填されたテープにダビングするビデオ再生／録画装置に関するものである。
【０００２】
【従来の技術】
従来より、相手機のテープを再生し、自機のテープにダビングするビデオ録画装置が知られており、これらは、ユーザの使い勝手の向上を図ったり、装置自身の処理負担を軽減するため、様々な工夫がなされている。一例を挙げれば、ダビング時に再生用のマスタテープ（原盤）の記録の有無をチェックし、記録のない部分が所定の時間以上になると録画を一時的に停止させ、記録部分が検出されると録画を再開するようにして、記録されている部分のみについて自動的にダビングを行えるようにした磁気テープ装置が知られている（例えば特開平６−４９３５号公報参照）。また、ビデオ信号の垂直帰線区間内に予め入力されている情報を検出し、その情報から出画タイミングを判別し、それに基き適切なタイミングで録画させることにより、ダビング時の操作を容易にすると共に、必要な記録箇所に対する余剰な記録や記録漏れの防止を図ったビデオ再生／録画装置が知られている（例えば、特開平４−１３７９８０号公報参照）。また、信号出力手段からの自動記録モードの指定信号に応答して、外部のビデオ再生装置から入力された信号を選択的にスイッチングし、ビデオ再生装置の再生動作の開始と自機の録画動作の開始を制御して、磁気テープに自動的に記録できるようにしたビデオ録画装置が知られている（例えば、実開平３−３７６２１号公報参照）。
【０００３】
また、複数の電子機器をバスで接続し、機器のモードを管理する第１の制御手段と、バスを介して送受信するコマンド／レスポンスを処理する第２の制御手段を具備し、第１の制御手段が作成したアナログ機器制御用のコマンドを第２の制御手段が所定のフォーマットの制御信号に載せることにより、コマンドを処理する制御手段の負担の軽減を図った電子機器が知られている（例えば、特開平９−５１３４３号公報参照）。ここで、各電子機器の接続のためのインターフェースバスは、ＩＥＥＥ１３９４シリアルバスが知られており、このＩＥＥＥ１３９４シリアルバスにより、各機器間で双方向の通信が可能とされる。
【０００４】
【発明が解決しようとする課題】
しかしながら、このような従来装置では、相手機の動作状態を事前に確認し、その動作状態に応じて、適切に自機及び相手機を制御して自動的にダビングする機能を備えていない。従って、例えば、相手機がタイマ録画等の処理を行っている場合において、自機のテープを再生し相手機のテープにダビングさせようとすれば、相手機のタイマ録画が中断されることとなり、特に、特定の時間しか放送されないテレビジョン放送についてユーザがタイマ録画を設定している場合には、タイマ録画が不完全なものとなる。また、相手機がタイマ録画等の処理を行っている場合において、相手機のテープを再生させ、自機のテープにダビングしようすれば、やはり、相手機のタイマ録画が中断され、そのタイマ録画が不完全なものとなる。仮に、ユーザからのダビング指令に関わらず、相手機が単独でタイマ録画を優先して処理した場合にあっても、そのタイマ録画の間、自機はユーザの指令に応じて上記の再生又は録画を継続しているので、自機及び相手機の動作が連動しなくなり、ダビングが不完全なものとなる。また、自機又は相手機がタイマ録画の待機中にダビングを行う場合は、手動にてタイマ録画の待機状態を解除してからダビングを行う必要がある。その後、上記ダビング中にタイマ録画の開示時刻が来たときは、引き続きダビングが継続された結果、タイマ録画に失敗する場合もある。従って、適正にダビングやタイマ録画を行うには、ユーザが装置の傍に居て、常に相手機の動作状態を確認しなければならず、不便である。
【０００５】
本発明は、上述した問題点を解決するためになされたものであり、インターフェースバスを介してネットワーク接続された相手機の動作状態を事前に問い合わせ、その動作状態に応じて、最適なダビング処理を自動的に行えるようにしたビデオ再生／録画装置を提供することを目的とする。
【０００６】
【課題を解決するための手段】
上記目的を達成するために請求項１の発明は、複数のデジタル機器がインターフェースバスを介してネットワーク接続されることにより、各デジタル機器間での双方向の通信を可能とされ、ネットワーク接続の際に各デジタル機器の接続状態を自動的に認識する通信手段と、各機器自身（自機という）を動作させる動作指令及び他の機器に割り当てられたＩＤ情報を添付して該当する機器を動作させる動作指令を出力する出力制御手段とを備え、自機に装填されたテープを再生して、インターフェースバスを介して接続されたビデオ録画装置（相手機という）に装填されたテープにダビングさせるネットワークシステム対応のデジタルビデオ再生／録画装置において、相手機とネットワーク接続され、その接続のためのインターフェースバスは、ＩＥＥＥ１３９４シリアルバスであり、各機器に割当てられたＩＤ情報は、各機器の電源投入及び機器の追加又は削除に伴うバスリセット時に新たなＩＤ情報として付与され、各機器間の通信は、各機器に対応するＩＤ情報ごとに異なる周波数帯域の搬送波によって区別してなされ、ダビングを実行させるダビング指令を入力するための操作キーを備え、出力制御手段は、ユーザにより、ダビング指令が入力されたとき、相手機の動作状態を問い合わせるための信号を通信手段を介して出力し、これに対する返答から相手機の状態を判断し、録画可能でなければ、さらに信号を出力して相手機の動作状態を問い合わせ、録画可能となれば、相手機に対して録画指令を出力し、該相手機から録画開始動作の完了の通知を受けた後に自機の再生を開始し、ダビングを行わせるものである。
【０００７】
この構成においては、自機及び相手機は双方向の通信が可能なＩＥＥＥ１３９４シリアルバスケーブルで接続され、自機から相手機に対して動作指令を出力して相手機を遠隔制御することができる。上記動作指令には、相手機のＩＤ情報を添付するものとされ、複数のデジタル機器がネットワーク接続されているときであっても、制御したい相手機を特定することができる。ユーザの操作により、操作キーからダビング指令が入力されると、出力制御手段は、まず、通信手段及びＩＥＥＥ１３９４シリアルバスケーブルを介して相手機の動作状態を問い合わせ、この結果、相手機が録画可能なときは、録画指令を出力して録画を開始させる。相手機が録画可能でなければ、録画可能となるまで繰り返し動作状態を問い合わせる。相手機の録画動作が開始されると、相手機は、その旨の信号を自機に対して返送し、これにより、出力制御手段は、相手機の録画開始動作が完了したことを知ることができ、自機に対して再生指令を発する。こうして、相手機が録画可能なときのみ、ダビングが実行される。
【０００８】
また、請求項２の発明は、複数のデジタル機器がインターフェースバスを介してネットワーク接続されることにより、各デジタル機器間での双方向の通信を可能とされ、ネットワーク接続の際に各デジタル機器の接続状態を自動的に認識する通信手段と、各機器自身（自機という）を動作させる動作指令及び他の機器に割り当てられたＩＤ情報を添付して該当する機器を動作させる動作指令を出力する出力制御手段とを備え、インターフェースバスを介して接続されたビデオ録画装置（相手機という）に装填されたテープを再生させて、自機に装填されたテープにダビングするネットワークシステム対応のデジタルビデオ再生／録画装置において、相手機とネットワーク接続され、その接続のためのインターフェースバスは、ＩＥＥＥ１３９４シリアルバスであり、各機器に割当てられたＩＤ情報は、各機器の電源投入及び機器の追加又は削除に伴うバスリセット時に新たなＩＤ情報として付与され、各機器間の通信は、各機器に対応するＩＤ情報ごとに異なる周波数帯域の搬送波によって区別してなされ、ダビングを実行させるダビング指令を入力するための操作キーを備え、出力制御手段は、ユーザにより、ダビング指令が入力されたとき、相手機の動作状態を問い合わせるための信号を通信手段を介して出力し、これに対する返答から相手機の状態を判断し、再生可能でなければ、さらに信号を出力して相手機の動作状態を問い合わせ、再生可能となれば、自機での録画を開始し、相手機に対して再生指令を出力し、ダビングを行うものである。
【０００９】
この構成においては、請求項１と同様に、自機及び相手機は双方向の通信が可能なＩＥＥＥ１３９４シリアルバスケーブルで接続され、相手機を遠隔制御することができる。上記動作指令には、相手機のＩＤ情報を添付するものとされ、複数のデジタル機器がネットワーク接続されているときであっても、制御したい相手機を特定することができる。ユーザの操作により、操作キーからダビング指令が入力されると、出力制御手段は、まず、通信手段及びＩＥＥＥ１３９４シリアルバスケーブルを介して相手機の動作状態を問い合わせ、この結果、相手機が再生可能なときは、自機に対して録画指令を発して録画を開始すると共に、相手機に対して再生指令を出力する。相手機が再生可能でなければ、再生可能となるまで繰り返し動作状態を問い合わせる。こうして、相手機が再生可能なときのみ、ダビングが実行される。
【００１４】
また、請求項３の発明は、請求項１に記載のデジタルビデオ再生／録画装置において、時刻を計数する時計を備え、相手機には、ユーザによってタイマ録画の開始／終了時刻が予約されており、出力制御手段は、ダビングを実行中に相手機のタイマ録画の開始時刻が来たときは、自機に対しては再生を停止する指令を、相手機に対しては録画を停止させる指令を出力することにより、ダビングを停止し、相手機に、タイマ録画を実行させ、タイマ録画の終了時刻が来ると、相手機のタイマ録画を終了させた後、自機に対しては再生指令を出力し、相手機に対しては録画指令を出力することにより、ダビングを再開させるものである。この構成においては、相手機にタイマ録画が予約されており、そのタイマ録画の予約とダビングに関する指令とが抵触する場合は、ダビングを一時的に中断し、タイマ録画を優先して処理させる。なお、タイマ録画が終了すると、自機及び相手機に対してダビングを再開させる指令を出力しダビングを再開する。このように、相手機のタイマ録画中は自機の再生を停止させ、タイマ録画の終了後に、相手機の録画動作に連動させて自機の再生を再開しているので、ユーザ所望のコンテンツがすべて相手機のテープに録画されることとなる。
【００１５】
また、請求項４の発明は、請求項２に記載のデジタルビデオ再生／録画装置において、時刻を計数する時計と、ユーザによって予約を受けたタイマ録画開始／終了時刻を記憶させる記憶手段とを備え、出力制御手段は、ダビングを実行中に記憶手段に記憶させたタイマ録画開始時刻が来たときは、自機に対しては録画を停止する指令を、相手機に対しては再生を停止させる指令を出力することによりダビングを停止し、自機のタイマ録画を実行し、タイマ録画の終了時刻が来ると、自機のタイマ録画を終了した後、自機に対しては録画指令を出力し、相手機に対しては再生指令を出力することにより、ダビングを再開するものである。この構成においては、自機にタイマ録画が予約されており、そのタイマ録画の予約とダビングに関する指令とが抵触する場合は、ダビングを一時的に中断し、タイマ録画を優先して処理する。なお、タイマ録画が終了すると、自機及び相手機に対してダビングを再開させる指令を出力しダビングを再開する。このように、自機のタイマ録画中は相手機の再生を停止させ、タイマ録画の終了後に、自機の録画動作に連動させて相手機の再生を再開しているので、ユーザ所望のコンテンツがすべて自機のテープに録画されることとなる。
【００１６】
また、請求項５の発明は、請求項３に記載のデジタルビデオ再生／録画装置において、出力制御手段は、相手機に予約されたタイマ録画の開始時刻前にダビングを実行するときは、相手機のタイマ録画の待機状態を解除し、自機に対しては再生指令を出力し、相手機に対しては録画指令を出力することにより、ダビングを実行し、該ダビングの終了後に相手機をタイマ録画の待機状態に復帰させるものである。この構成においては、相手機に予約されたタイマ録画の開始時刻前、すなわち相手機のタイマ録画の待機中にダビングを実行しようとするときは、上記の待機状態を解除して、ダビングを優先して処理する。なお、該ダビング中に相手機のタイマ録画の開始時刻が接近したときは、請求項５に記載した通りダビングを一時的に中断してタイマ録画を優先処理する。
【００１７】
また、請求項６の発明は、請求項４に記載のデジタルビデオ再生／録画装置において、出力制御手段は、自機に予約されたタイマ録画の開始時刻前にダビングを実行するときは、自機のタイマ録画の待機状態を解除し、自機に対しては録画指令を出力し、相手機に対しては再生指令を出力することにより、ダビングを実行し、該ダビングの終了後に自機をタイマ録画の待機状態に復帰させるものである。この構成においては、自機に予約されたタイマ録画の開始時刻前、すなわち自機のタイマ録画の待機中にダビングを実行しようとするときは、上記の待機状態を解除して、ダビングを優先して処理する。なお、該ダビング中に自機のタイマ録画の開始時刻が接近したときは、請求項６に記載した通りダビングを一時的に中断してタイマ録画を優先処理する。
【００１９】
【発明の実施の形態】
以下、本発明を具体化した一実施形態に係るビデオ録画装置を用いたネットワークシステムを図面を参照して説明する。図１に本発明のネットワークシステムの概略構成を示す。ネットワークシステム１は、ＤＶＨＳビデオデッキ１０，２０をＩＥＥＥ１３９４シリアルバスケーブル（以下、ＩＥＥＥ１３９４ケーブルという）２を介して接続することにより構築される。また、各ＤＶＨＳビデオデッキ１０，２０には、ＴＶモニタ１９，２９が接続されている。
【００２０】
各ＤＶＨＳビデオデッキ１０，２０はＩＥＥＥ１３９４ケーブル２によって情報信号や制御信号を双方向に伝送して通信することができ、ネットワークシステム１内の他の機器に対して制御信号を伝送すれば、他の機器を遠隔制御することができる。例えば、ＤＶＨＳビデオデッキ１０（自機となる）は、ＤＶＨＳビデオデッキ２０（相手機となる）に対して再生コマンドをＩＥＥＥ１３９４ケーブル２を介して伝送することにより、ＤＶＨＳビデオデッキ２０に装填されたテープを再生し、その映像信号をＩＥＥＥ１３９４ケーブル２を介して取得し、ＤＶＨＳビデオデッキ１０に装填したテープにダビングしたり、ＴＶモニタ１９に表示させることができる。
【００２１】
本システム１では、ＤＶＨＳビデオデッキ１０，２０をＩＥＥＥ１３９４シリアルバスを介して接続しているが、さらに、同バスに対応する各種のデジタル機器を接続し、相互間の通信を行うこともできる。このように複数のデジタル機器が接続されているような場合において、各機器を区別して認識するため、各機器には相異なるノードＩＤが付与される。このノードＩＤは、各機器の電源投入及び機器の追加・削除等のバスリセット時に、新たなＩＤとして付与される。そして、各機器間の通信は、各機器に対応するノードＩＤ毎に異なる周波数帯域の搬送波によって区別してなされている。
【００２２】
図２に本システム１に適用されるＤＶＨＳビデオデッキ１０，２０のブロック図を示す。ＤＶＨＳビデオデッキ１０は、ＩＥＥＥ１３９４ケーブル２を接続するためのポート１１ａ，１１ｂと、映像信号等のデジタル信号のエンコード／デコードを行なうＰＨＹチップ１２と、後述するノードＩＤ等のデータの判別を行なうＬＩＮＫチップ（通信手段、出力制御手段）１３と、ＤＶＨＳビデオデッキ１０全体の制御を司るＣＰＵ（出力制御手段）１４と、ノードＩＤ、タイマ録画開始／終了時刻及びタイマダビング開始／終了時刻を記憶するメモリ（記憶手段）１５と、ユーザがタイマ録画開始／終了時刻及びタイマダビング開始／終了時刻を入力するための入力キー１６とを備えている。この入力キーは、ダビング指令を入力するためのダビングキー（操作キー）も具備している。同様に、ＤＶＨＳビデオデッキ２０は、ポート２１ａ，２１ｂ、ＰＨＹチップ２２、ＬＩＮＫチップ２３、ＣＰＵ２４、メモリ２５及び入力キー２６を備えている。ＩＥＥＥ１３９４ケーブル２の両端は、ＤＶＨＳビデオデッキ１０のポート１１ａとＤＶＨＳビデオデッキ２０のポート２１ａにそれぞれ接続される。なお、入力キー１６，２６は、通常はリモコン等の入力装置に設けられているが、ＤＶＨＳビデオデッキ１０，２０の外装パネルに設けたものであってもよい。
【００２３】
さらに、本発明におけるＤＶＨＳビデオデッキ１０からのＤＶＨＳビデオデッキ２０の再生動作の制御は以下のようになされる。まず、ＣＰＵ１４から制御信号がＬＩＮＫチップ１３及びＰＨＹチップ１２を介してポート１１ａに伝送される。この制御信号には、ＤＶＨＳビデオデッキ２０に付与されたノードＩＤが添付され、ＩＥＥＥ１３９４バスケーブル２を介して、ＤＶＨＳビデオデッキ２０のポート２１ａに伝送される。ポート２１ａにより制御信号を受けたＤＶＨＳビデオデッキ２０は、その信号を、さらにＰＨＹチップ２２を介してＬＩＮＫチップ２３に伝送する。そして、ＬＩＮＫチップ２３により、制御信号に添付されたノードＩＤが自機のものであることを認識して、この信号をＣＰＵ２４に伝送する。ＣＰＵ２４は、伝送された制御信号に基いて、ＤＶＨＳビデオデッキ２０の再生動作を開始し、取得した映像信号を、上記とは逆の経路にて、ＤＶＨＳビデオデッキ１０のＣＰＵ１４に伝送する。ＣＰＵ１４では、受信した上記映像信号を装填したテープに記録したり、ＴＶモニタ１９に表示させたりする。なお、ＬＩＮＫチップ２３は、ノードＩＤが自機のものでなければ、制御信号をＰＨＹチップ２２に返還し、さらにポート２１ｂよりＩＥＥＥ１３９４ケーブルを介して接続された他の機器（図示せず）に伝送する。このように、ノードＩＤによって再生するＤＶＨＳビデオデッキ（相手機）を指定し、制御しているので、３台以上のＤＶＨＳビデオデッキをＩＥＥＥ１３９４ケーブルで接続した場合であっても、相手機を指定して、制御することができる。また、ＤＶＨＳビデオデッキ１０からＤＶＨＳビデオデッキ２０の録画動作の制御も同様になされる。
【００２４】
次に、ＤＶＨＳビデオデッキ１０を用いた自動ダビング機能について説明する。この自動ダビング機能は、ＤＶＨＳビデオデッキ１０によって、ＤＶＨＳビデオデッキ２０を上述したように遠隔制御することにより、ＤＶＨＳビデオデッキ２０に録画を実行させると共に、ＤＶＨＳビデオデッキ１０に装填されたテープを再生することにより、取得した映像信号をＤＶＨＳビデオデッキ２０に装填したテープに自動的にダビングするものである。この自動ダビングは、ユーザによるダビングキーの押下（ダビング指令）、又は予め設定した時刻にダビングを開始するタイマダビングに応じてなされる。
【００２５】
例えば、ユーザの操作により、ＤＶＨＳビデオデッキ１０のダビングキーが押下されると、ＣＰＵ１４は、まず、ＩＥＥＥ１３９４ケーブル２を介してＤＶＨＳビデオデッキ２０の動作状態を問い合わせる。この結果、ＤＶＨＳビデオデッキ２０が録画可能なときは、録画指令を出力して録画を開始させる。ＤＶＨＳビデオデッキ２０が録画可能でなければ、録画可能となるまで繰り返し動作状態を問い合わせる。ＤＶＨＳビデオデッキ２０の録画動作が開始されると、ＤＶＨＳビデオデッキ２０は、その旨の信号をＤＶＨＳビデオデッキ１０に対して返送し、これにより、ＣＰＵ１４は、ＤＶＨＳビデオデッキ２０の録画開始動作が完了したことを知ることができ、自機に再生指令を発する。こうして、ＤＶＨＳビデオデッキ２０が録画可能なときのみ、ダビングが実行される。
【００２６】
上記ＤＶＨＳビデオデッキ２０の動作状態の問い合わせ手順を図３に示したタイムチャートを参照して説明する。まず、ユーザによりダビングキーが押下されると（＃１）、ＤＶＨＳビデオデッキ２０（相手機）の動作状態を確認するための信号が該相手機に対して出力され（＃２）、それを受けた相手機からは、該相手機の現在の状態を示す信号がＤＶＨＳビデオデッキ１０（自機）に対して送信される（＃３）。上記信号を受信した自機のＣＰＵ１４は、この信号から相手機がダビング可能かどうかを判断する（＃４）。その結果、相手機が巻戻し動作等、何らかの処理中（ビジー状態）であり、ダビング不可の場合（＃５）は、再び相手機の動作状態を確認するための信号が相手機に対して出力され（＃６）、それを受けた相手機からは、該相手機の現在の状態を示す信号が自機に対して送信される（＃７）。さらに、上記信号を受信したＣＰＵ１４は、この信号から相手機がダビング可能かどうかを判断する（＃８）。相手機がダビング可能となるまで＃６〜＃８の処理を繰り返して行い（＃９）、ダビング可能になれば（＃９ａ）、相手機に録画コマンドを発行する（＃１０）。
【００２７】
上記問い合わせにおけるＣＰＵ１４の処理手順を図４に示す。ダビングキーが押下されると、相手機の状態を問い合わせ（＃１１）、相手機がダビング（録画）可能となれば（＃１２においてＹＥＳ）、相手機に録画コマンドを発行して（＃１３）、相手機の録画を開始させる。そして、相手機から録画開始動作の完了通知を受信することにより相手機の録画動作を確認した上で（＃１４）、自機の再生を開始させる（＃１５）。なお、＃１２において、相手機が録画可能でない場合は（＃１２においてＮＯ）、＃１１に戻り、繰り返し相手機の状態を問い合わせる。このようにして、ＤＶＨＳビデオデッキ２０が録画可能なときのみ、ダビングが実行される。
【００２８】
また、本システム１では、ＤＶＨＳビデオデッキ２０のテープを再生させて、ＤＶＨＳビデオデッキ１０のテープにダビングすることも可能である。このときの、ＣＰＵ１４の処理手順を図５に示す。ダビングキーが押下されると、相手機の状態を問い合わせ（＃２１）、相手機がダビング（再生）可能となれば（＃２２においてＹＥＳ）、自機の録画を開始して（＃２３）、相手機に再生コマンドを発行して（＃２４）、相手機の再生を開始させ、相手機から再生開始動作の完了通知を受信することにより相手機の再生動作を確認する（＃２５）。なお、＃２２において、相手機が再生可能でない場合は（＃２２においてＮＯ）、＃２１に戻り、繰り返し相手機の状態を問い合わせる。このようにして、ＤＶＨＳビデオデッキ１０が再生可能なときのみ、ダビングが実行される。
【００２９】
また、本発明においては、例えば、ＤＶＨＳビデオデッキ１０、又はＤＶＨＳビデオデッキ２０には、ユーザにより設定された時間にテレビジョン放送等を録画するいわゆるタイマ録画が予め設定されており、ダビングの動作とタイマ録画の開始が重複する場合には、タイマ録画を優先的に行うこととしている。このときのＣＰＵ１４が行うタイマ録画の割り込みの処理手順について、図６を参照して説明する。ダビング中にタイマ録画の開始時刻が接近すると（＃３１においてＹＥＳ）、自機及び相手機に対してダビングを停止させる指令を出力し（＃３２）、ダビングを一時的に中断する。そして、タイマ録画の開始時刻になると自機に対して録画指令を出力し（＃３３）、自機のタイマ録画を実行する（＃３４）。そして、タイマ録画の終了時刻になると、自機に停止指令を出力し（＃３５）、タイマ録画を停止させる。その後、自機及び相手機に対してダビングを再開させる指令（再生指令及び録画指令）を出力して（＃３６）、ダビングを再開する。このようにして、タイマ録画の予約とダビングに関する指令が抵触するとき（ダブルブッキング状態）は、タイマ録画の処理を優先的に行って、タイマ録画が終了した後、ダビングを再開することとしているので、タイマ録画の失敗及びダビングの失敗を回避することができる。
【００３０】
また、本発明においては、ＤＶＨＳビデオデッキ１０又はＤＶＨＳビデオデッキ２０がタイマ録画の待機中においても、自動ダビングの動作を割り込んで処理させることも可能である。この場合のＣＰＵ１４の処理手順を図７に示す。タイマ録画待機中に（＃４１）、タイマ録画開始時刻になると（＃４２においてＹＥＳ）、自機又は相手機に対して録画指令を出力して（＃４３）、タイマ録画を実行させ（＃４４）、終了する。＃４２において、タイマ録画開始時刻でない場合であって（＃４２においてＮＯ）、ダビングキーが押下されたときは（＃４５においてＹＥＳ）、自機又は相手機のタイマ録画の待機状態を解除させて（＃４６）、自機及び相手機に対してダビング指令を出力して（＃４７）、ダビングを実行させる（＃４８）。そして、ダビングが終了するまでは（＃４９においてＮＯ）、＃４８に戻ってダビングを継続し、ダビングが終了すれば（＃４９においてＹＥＳ）、＃４１に戻って、タイマ録画の待機状態に復帰する。なお、ダビングキーが押下されないときは（＃４５においてＮＯ）、＃４１に戻り、引き続きタイマ録画の待機状態を維持する。このようにして、タイマ録画の待機中においてもダビングを行うことができる。
【００３１】
なお、本発明は上記実施形態の構成に限られることなく種々の変形が可能であり、例えば、ネットワーク接続する相手機は、複数のビデオデッキを接続してもよい。この場合は、自機からの遠隔制御により、複数のマスタテープから複数のテープにダビングすることも可能であり、その際、ダビング途中でそれぞれのテープを入れ替える必要がないので、ユーザがその場を離れていてもダビングが自動的に実行される。
【００３２】
また、図３に示した＃６乃至＃９における相手機の状態を再度確認するための処理は省略し、ダビング不可の場合は、ダビングを実行することなく処理を終了してもよい。
【００３３】
さらに、ＩＥＥＥ１３９４ケーブル２によってネットワーク接続するデジタル機器は、ＤＶＨＳビデオデッキに限られることなく、ハンディカム等に代表されるデジタルビデオカメラであってもよい。また、ＤＶＨＳビデオデッキ１０，２０はＴＶモニタ１９，２９と一体化されたものであっても構わない。
【００３４】
【発明の効果】
以上のように請求項１の発明によれば、相手機に録画動作させるとき、自機の再生を行う前に相手機の状態を確認し、録画側の相手機がタイマ録画中である等、何らかの理由により処理を実行中（ビジー状態）であり録画不可能であっても、録画可能になるまで待ってからダビングを行うこととしている。すなわち、相手機が処理中であっても、繰り返し相手機に対して動作状態を問い合わせる信号を出力して、その処理が終了するのをサーチしているので、処理の終了後において、間違いなくダビングをすることが可能となる。また、各機器に割当てられたＩＤ情報は、各機器の電源投入及び機器の追加又は削除に伴うバスリセット時に新たなＩＤ情報として付与されるので、出力制御手段は、各機器を区別して認識し、異なる周波数帯域で通信を行うことが可能である。
【００３５】
請求項２の発明によれば、自機で録画動作するとき、自機の録画を行う前に相手機の状態を確認し、再生側の相手機が何らかの理由により処理を実行中（ビジー状態）であり再生不可能であっても、再生可能になるまで待ってからダビングを行うこととしている。すなわち、相手機が処理中であっても、繰り返し相手機に対して動作状態を問い合わせる信号を出力して、その処理が終了するのをサーチしているので、処理の終了後において、間違いなくダビングをすることが可能となる。また、各機器に割当てられたＩＤ情報は、各機器の電源投入及び機器の追加又は削除に伴うバスリセット時に新たなＩＤ情報として付与されるので、出力制御手段は、各機器を区別して認識し、異なる周波数帯域で通信を行うことが可能である。
【００３８】
請求項３の発明によれば、相手機のタイマ録画の予約とダビングに関する指令とが抵触する場合は、ダビングを一時的に中断し、タイマ録画を優先して処理し、タイマ録画の終了後、ダビングを再開することとしているので、タイマ録画の割り込み処理によるダビングの失敗及びタイマ録画の失敗を回避することができる。
【００３９】
請求項４の発明によれば、自機のタイマ録画の予約とダビングに関する指令とが抵触する場合は、ダビングを一時的に中断し、タイマ録画を優先して処理し、タイマ録画の終了後、ダビングを再開することとしているので、タイマ録画の割り込み処理によるダビングの失敗及びタイマ録画の失敗を回避することができる。
【００４０】
請求項５の発明によれば、相手機に予約されたタイマ録画の待機中にダビングを実行するときは、ダビング動作を優先して処理し、ダビング動作が終了するとタイマ録画待機状態に復帰することとしているので、自機及び相手機が動作していない時間を有効に利用してダビングを実行することができる。
【００４１】
請求項６の発明によれば、自機に予約されたタイマ録画の待機中にダビングを実行するときは、ダビング動作を優先して処理し、ダビング動作が終了するとタイマ録画待機状態に復帰することとしているので、自機及び相手機が動作していない時間を有効に利用してダビングを実行することができる。
【図面の簡単な説明】
【図１】本発明の一実施形態によるネットワークシステムにおける各ＤＶＨＳビデオデッキの接続状態を示した図。
【図２】同システムに自機及び相手機として用いられるＤＶＨＳビデオデッキのブロック図。
【図３】同ＤＶＨＳビデオデッキの自動ダビング時における相手機の状態を確認する手順を示したタイムチャート。
【図４】同ＤＶＨＳビデオデッキの自動ダビング時における自機が再生側である場合のＣＰＵの動作手順を示したフローチャート。
【図５】同ＤＶＨＳビデオデッキの自動ダビング時における自機が録画側である場合のＣＰＵの動作手順を示したフローチャート。
【図６】同ＤＶＨＳビデオデッキの自動ダビング中におけるタイマ録画の割り込み処理の手順を示したフローチャート。
【図７】ＤＶＨＳビデオデッキのタイマ録画待機中における自動ダビングの割り込み処理の手順を示したフローチャート。
【符号の説明】
１      ネットワークシステム
２      ＩＥＥＥ１３９４ケーブル
１０    ＤＶＨＳビデオデッキ（ビデオ録画装置：自機）
１３    ＬＩＮＫチップ（通信手段、出力制御手段）
１４    ＣＰＵ（出力制御手段）
１５    メモリ（記憶手段）
２０    ＤＶＨＳビデオデッキ（ビデオ再生装置：相手機）
【図１】
0003593696.tif 000002
【図２】
0003593696.tif 000003
【図３】
0003593696.tif 000004
【図４】
0003593696.tif 000005
【図５】
0003593696.tif 000006
【図６】
0003593696.tif 000007
【図７】
0003593696.tif 000008